(57)【特許請求の範囲】
【請求項１】
内部画像情報を有しこれを再生する手段と、
固有の番号を持ったｎ個の分岐テーブルと、
前記内部画像情報以外の外部情報格納先を示す外部情報格納先テーブルとを有し、
前記分岐テーブルは、前記内部画像情報の記録位置情報と１または複数の選択子の番号と前記各選択子と対応する分岐先の前記分岐テーブルの番号とで構成され、
前記外部情報格納先テーブルはｎ個の前記分岐テーブルの番号と前記番号に対応する１または複数の外部情報格納先を示すアドレス情報とで構成されることを特徴とする情報処理装置。
【請求項２】
内部画像情報を有しこれを再生する手段と、
固有の番号を持ったｎ個の分岐テーブルと、
前記内部画像情報以外の外部情報格納先を示すｎ個のファイルとを有し、
前記分岐テーブルは、前記内部画像情報の記録位置情報と１または複数の選択子の番号と前記各選択子と対応する分岐先の前記分岐テーブルの番号とで構成され、
前記ｎ個のファイルの各々には対応する前記分岐テーブルの番号に対応するファイル名と前記番号の分岐テーブルに対応する１または複数の前記情報記録媒体外の外部情報格納先を示すアドレス情報とで構成されることを特徴とする情報処理装置。
【請求項３】
画像情報が記録されるとともに、
固有の番号を持ったｎ個の分岐テーブルを記録した領域と、
前記情報記録媒体外の外部情報格納先を示す外部情報格納先テーブル領域とを有し、
前記分岐テーブルは、前記情報記録媒体内に記録された前記画像情報の記録位置情報と１または複数の選択子の番号と前記各選択子と対応する分岐先の前記分岐テーブルの番号とで構成され、
前記外部情報格納先テーブルはｎ個の前記分岐テーブルの番号と前記番号に対応する１または複数の情報記録媒体外の外部情報格納先を示すアドレス情報とで構成される情報記録媒体を用いて、
分岐テーブル番号の初期値に基づいて最初の分岐テーブルを取得する手順と、
前記分岐テーブルに記録された画像情報の記録位置情報に基づいてこの画像を再生表示する手順と、
前記最初の画像の指示に基づいて分岐指示を行う手順と、
必要によって外部分岐指示を行う手順と、
前記分岐指示に基づいて取得した分岐テーブルに記録された画像情報の記録位置情報に基づいてこの画像を再生表示する手順と、
前記外部分岐指示があったときは前記外部情報格納先テーブルの前記分岐テーブルに対応する１または複数の前記情報記録媒体外の外部情報格納先を示すアドレス情報を取得する手順とを有する情報処理方法。
【請求項４】
画像情報が記録されるとともに、
固有の番号を持ったｎ個の分岐テーブルを記録した領域と、
前記情報記録媒体外の外部情報格納先を示すｎ個のファイルとを有し、
前記分岐テーブルは、前記情報記録媒体内に記録された前記画像情報の記録位置情報と１または複数の選択子の番号と前記各選択子と対応する分岐先の前記分岐テーブルの番号とで構成され、
前記ｎ個のファイルの各々には対応する前記分岐テーブルの番号と前記番号の分岐テーブルに対応する１または複数の前記情報記録媒体外の外部情報格納先を示すアドレス情報とで構成される情報記録媒体を用いて、
分岐テーブル番号の初期値に基づいて最初の分岐テーブルを取得する手順と、
前記分岐テーブルに記録された画像情報の記録位置情報に基づいてこの画像を再生表示する手順と、
前記最初の画像の指示に基づいて分岐指示を行う手順と、
必要によって外部分岐指示を行う手順と、
前記分岐指示に基づいて取得した分岐テーブルに記録された画像情報の記録位置情報に基づいてこの画像を再生表示する手順と、
前記外部分岐指示があったときは前記ｎ個のファイルの前記分岐テーブルに対応する１または複数の前記情報記録媒体外の外部情報格納先を示すアドレス情報を取得する手順とを有する情報処理方法。
【請求項５】
画像情報を記録した情報記録媒体であって、
固有の番号を持ったｎ個の分岐テーブルを記録した領域と、
前記情報記録媒体外の外部情報格納先を示す外部情報格納先テーブル領域とを有し、
前記分岐テーブルは、前記情報記録媒体内に記録された前記画像情報の記録位置情報と１または複数の選択子の番号と前記各選択子と対応する分岐先の前記分岐テーブルの番号とで構成され、
前記外部情報格納先テーブルはｎ個の前記分岐テーブルの番号と前記番号に対応する１または複数の情報記録媒体外の外部情報格納先を示すアドレス情報とで構成されることを特徴とする情報記録媒体。
【請求項６】
画像情報を記録した情報記録媒体であって、
固有の番号を持ったｎ個の分岐テーブルを記録した領域と、
前記情報記録媒体外の外部情報格納先を示すｎ個のファイルとを有し、
前記分岐テーブルは、前記情報記録媒体内に記録された前記画像情報の記録位置情報と１または複数の選択子の番号と前記各選択子と対応する分岐先の前記分岐テーブルの番号とで構成され、
前記ｎ個のファイルの各々には対応する前記分岐テーブルの番号と前記番号の分岐テーブルに対応する１または複数の前記情報記録媒体外の外部情報格納先を示すアドレス情報とで構成されることを特徴とする情報記録媒体。
【発明の詳細な説明】
技術分野
本発明は内部に収録された画像情報に対して階層的に分岐して選択する再生制御を行うとともに必要に応じて外部情報への分岐処理を行うことができる情報処理装置、またそのような処理を行う情報処理方法およびそのような処理を行う方法を記録した情報記録媒体に関する。
技術背景
情報記録媒体として、例えばビデオＣＤ（Video-CD）規格があり、既にディスクや再生装置が製品化され市場が形成されている。最初に公開されたVideo-CD規格はVideo-CD Version 1.1であり、この規格では収録されている動画等を単に再生するだけのものであった。後に、Video-CD Version 2.0に機能拡張され、収録されている静止画や動画を任意に組み合わせ、収録情報の再生順序や分岐の選択を可能とした再生制御手段を提供し、利用者の利便性を高めた。
なお、本明細書で使用されている用語、再生制御の仕組については、Video-CD Version 2.0規格書に記載されているものに準拠する。
従来の情報記録媒体としてのビデオＣＤにおいては、再生専用ディスクであるが為に、収録内容の部分更新等の要望には対応出来ず、また、Video-CD Version 2.0規格ではディスク内で完結した再生制御しか想定していなかった為、ディスクの外部の情報への分枝手段が提供できなかった。
本発明は、従来のビデオＣＤなどの記録媒体との互換性を保ちつつ、記録媒体外部の情報への分岐手段を可能とする情報処理装置、情報処理方法および情報処理方法を記録した情報記録媒体を提供することを目的とする。
この目的を達成するために、本発明の請求項１の情報処理装置は、内部画像情報を有しこれを再生する手段と、固有の番号を持ったｎ個の分岐テーブルと、前記内部画像情報以外の外部情報格納先を示す外部情報格納先テーブルとを有し、前記分岐テーブルは、前記内部画像情報の記録位置情報と１または複数の選択子の番号と前記各選択子と対応する分岐先の前記分岐テーブルの番号とで構成され、前記外部情報格納先テーブルはｎ個の前記分岐テーブルの番号と前記番号に対応する１または複数の外部情報格納先を示すアドレス情報とで構成されたものである。
また本発明の請求項２の情報処理装置は、内部画像情報を有しこれを再生する手段と、固有の番号を持ったｎ個の分岐テーブルと、前記内部画像情報以外の外部情報格納先を示すｎ個のファイルとを有し、前記分岐テーブルは、前記内部画像情報の記録位置情報と１または複数の選択子の番号と前記各選択子と対応する分岐先の前記分岐テーブルの番号とで構成され、前記ｎ個のファイルの各々には対応する前記分岐テーブルの番号と前記番号の分岐テーブルに対応する１または複数の前記情報記録媒体外の外部情報格納先を示すアドレス情報とで構成されたものである。
本発明は、上記の各構成によって、内部画像情報を再生中に利用者より外部情報への分岐指示があると、現在使用中の分岐テーブルの番号から、外部情報格納先テーブル、または、外部情報を格納するファイルを検索し、該当する格納先情報に基づき外部情報への分岐処理が行えるように作用するものである。
また本発明の請求項３の情報処理方法は、画像情報が記録されるとともに、固有の番号を持ったｎ個の分岐テーブルを記録した領域と、前記情報記録媒体外の外部情報格納先を示す外部情報格納先テーブル領域とを有し、前記分岐テーブルは、前記情報記録媒体内に記録された前記画像情報の記録位置情報と１または複数の選択子の番号と前記各選択子と対応する分岐先の前記分岐テーブルの番号とで構成され、前記外部情報格納先テーブルはｎ個の前記分岐テーブルの番号と前記番号に対応する１または複数の情報記録媒体外の外部情報格納先を示すアドレス情報とで構成される情報記録媒体を用いて、分岐テーブル番号の初期値に基づいて最初の分岐テーブルを取得する手順と、前記分岐テーブルに記録された画像情報の記録位置情報に基づいてこの画像を再生表示する手順と、前記最初の画像の指示に基づいて分岐指示を行う手順と、必要によって外部分岐指示を行う手順と、前記分岐指示に基づいて取得した分岐テーブルに記録された画像情報の記録位置情報に基づいてこの画像を再生表示する手順と、前記外部分岐指示があったときは前記外部情報格納先テーブルの前記分岐テーブルに対応する１または複数の前記情報記録媒体外の外部情報格納先を示すアドレス情報を取得する手順とを有するものである。
また本発明の請求項４の方法は、画像情報が記録されるとともに、固有の番号を持ったｎ個の分岐テーブルを記録した領域と、前記情報記録媒体外の外部情報格納先を示すｎ個のファイルとを有し、前記分岐テーブルは、前記情報記録媒体内に記録された前記画像情報の記録位置情報と１または複数の選択子の番号と前記各選択子と対応する分岐先の前記分岐テーブルの番号とで構成され、前記ｎ個のファイルの各々には対応する前記分岐テーブルの番号と前記番号の分岐テーブルに対応する１または複数の前記情報記録媒体外の外部情報格納先を示すアドレス情報とで構成される情報記録媒体を用いて、分岐テーブル番号の初期値に基づいて最初の分岐テーブルを取得する手順と、前記分岐テーブルに記録された画像情報の記録位置情報に基づいてこの画像を再生表示する手順と、前記最初の画像の指示に基づいて分岐指示を行う手順と、必要によって外部分岐指示を行う手順と、前記分岐指示に基づいて取得した分岐テーブルに記録された画像情報の記録位置情報に基づいてこの画像を再生表示する手順と、前記外部分岐指示があったときは前記ｎ個のファイルの前記分岐テーブルに対応する１または複数の前記情報記録媒体外の外部情報格納先を示すアドレス情報を取得する手順とを有するものである。
本発明は上記の各方法によって、分岐テーブル番号の初期値に基づいて最初の分岐テーブルを取得し、前記分岐テーブルに記録された画像情報の記録位置情報に基づいてこの画像を再生表示する。最初の画像の指示に基づいて分岐指示を行うと、この分岐指示に基づいて取得した分岐テーブルに記録された画像情報の記録位置情報に基づいてこの画像を再生表示する。このとき外部分岐指示があれば、現在使用中の分岐テーブルの番号から、外部情報格納先テーブルまたは外部情報格納するファイルを検索し該当する格納先情報に基づき外部情報への分岐処理が行えるように作用するものである。
つぎに本発明の請求項５の情報記録媒体は、画像情報を記録した情報記録媒体であって、固有の番号を持ったｎ個の分岐テーブルを記録した領域と、前記情報記録媒体外の外部情報格納先を示す外部情報格納先テーブル領域とを有し、前記分岐テーブルは、前記情報記録媒体内に記録された前記画像情報の記録位置情報と１または複数の選択子の番号と前記各選択子と対応する分岐先の前記分岐テーブルの番号とで構成され、前記外部情報格納先テーブルはｎ個の前記分岐テーブルの番号と前記番号に対応する１または複数の情報記録媒体外の外部情報格納先を示すアドレス情報とで構成されることを特徴とするものである。
また本発明の請求項６の情報記録媒体は、画像情報を記録した情報記録媒体であって、固有の番号を持ったｎ個の分岐テーブルを記録した領域と、前記情報記録媒体外の外部情報格納先を示すｎ個のファイルとを有し、前記分岐テーブルは、前記情報記録媒体内に記録された前記画像情報の記録位置情報と１または複数の選択子の番号と前記各選択子と対応する分岐先の前記分岐テーブルの番号とで構成され、前記ｎ個のファイルの各々には対応する前記分岐テーブルの番号と前記番号の分岐テーブルに対応する１または複数の前記情報記録媒体外の外部情報格納先を示すアドレス情報とで構成されることを特徴とするものである。
これらの情報記録媒体を情報処理装置に装着して請求項１または２の情報処理装置と同様の作用効果を得ることができ、または請求項３または４の情報処理方法による作用効果を得ることができる。
【図面の簡単な説明】
第１図は本発明の実施例１による情報記録ディスクに記録する分岐テーブルの相互関係を示す模式図、第２図は同情報記録ディスクに記録する外部情報格納先テーブルを示す模式図、第３図は同ディスク内で完結する処理と外部分岐処理とを示すフローチャート、第４図は同第３図の外部分岐処理部分の詳細を示すフローチャート、第５図は同第３図のディスク内の画像の再生表示処理部分の詳細を示すフローチャート、第６図は本発明の実施例２による情報記録ディスクに記録する外部情報格納先を示すファイルの模式図、第７図は同情報記録ディスクに記録する外部情報格納先を示すファイルの他の概念図である。
発明の開示
以下、本発明の実施例について、図面を用いて説明する。
なお、以下の実施例においては、情報記録媒体はディスクであり、外部情報を、インターネット上のホームページとし、外部情報格納先を示すアドレス情報を、インターネットのアドレス（単に、ＵＲＬ：Uniform Resource Locatorと称する場合もあり、以下ＵＲＬと略称する）とした場合について説明する。
また、情報記録媒体としては、ビデオＣＤのディスク（以下ディスクと称する）を例に取る。このディスクには、画像情報（動画や静止画）、音声情報などが、任意に選択可能な状態で収録されているが、説明を簡単化するために、記録された画像情報を複数の分岐テーブルを用いて、再生順序や分岐の選択を行う場合について説明する。
（第１の実施例）
第１図は、本実施例による情報記録媒体としてのディスク（図示せず）に記録された複数個の分岐テーブルの相互関係を示す模式図である。第１図において、分岐テーブル番号１〜４の各々の分岐テーブルには、図示しない表示装置に第１図に記載した「選択子１〜３」に対応する選択子を含んだ画像を表示する為に、収録されているディスク内の画像情報の記録位置情報としての表示情報格納位置アドレスを持っている。さらに分岐テーブルには、複数の選択子の番号と、この選択子の番号毎に対応する分岐先の分岐テーブルの番号とが記録されている。この様な構造を持つ分岐テーブルによって、第１図の様に木構造やループ等の分岐制御が可能となる。
第２図は、ディスクに記録された外部情報格納先テーブルを示す模式図である。第２図において、外部情報格納先テーブルを、インターネット上のアドレスを記載したＵＲＬテーブルとした場合の例を示している。図において符号２０は分岐テーブルの番号を並べたフィールド、２１は外部情報格納先としての実際のＵＲＬの文字列が記載されたフィールドである。
ディスク内で完結する通常再生中は、分岐テーブルによって相互に分岐制御されているが、利用者から外部情報への分岐要求があると、要求の有った時点での分岐テーブルの番号から、第２図のＵＲＬテーブルを検索し、対応するＵＲＬが取得される。例えば、第１図で分岐テーブル番号２を再生している時に利用者から外部情報への分岐要求があった場合、たとえば表示装置の、「外部情報へ分岐する」の釦がクリックされたとき、分岐テーブルの番号は２であるから、第２図のＵＲＬテーブルからディスク外の外部情報格納先を示すアドレス情報として//www.mei.co.jp/avcl/mm7/sub2/の文字列が取得され外部への分岐先としてアクセスできる事になる。
ここで以上説明したことをフローチャートを使って説明する。第３図はディスク内で完結する処理と外部分岐処理とを示すフローチャート、第４図は第３図の外部分岐処理部分の詳細を示すフローチャート、第５図は第３図のディスク内の画像の再生表示処理部分の詳細を示すフローチャートである。
第３図において処理が開始されると、ステップ３１において分岐テーブル番号（Ｌｉｓｔ  ＩＤ）の初期値の取得が行われる。第１図の場合は分岐テーブル番号１があらゆる分岐テーブルへの起点になるから初期値を１とする。取得した番号１に基づきステップ３２で番号１の分岐テーブルを取得し、ステップ３３で分岐テーブル１に記録されているディスク内の画像情報の記録位置情報としての表示情報格納位置アドレス（Ｐｌａｙ  Ｉｔｅｍ番号）を取得し、ステップ３４でこのアドレスを基にディスクに収録されている画像の再生処理を行う。
つぎにステップ３５で使用者が画面の選択子をクリックする、またはキーボードから入力するなどして分岐指示を行うとステップ３６でこの選択指示範囲は有効であるか否かをチェックし、有効範囲でなければステップ３５へ戻る。有効であればステップ３７へ進む。ステップ３７で必要があれば外部分岐指示入力を行い、ステップ３８で外部への分岐の有無をチェックする。外部分岐がなければステップ３９で内部分岐であると見なし、ステップ３５で選択した選択子の番号に基づいて分岐テーブル番号を取得してステップ３２へ戻り、ディスク内に収録された画像の再生のための動作を行う。ステップ３８で外部への分岐処理を要すると判定されると、ステップ４０の外部分岐処理を行ってステップ３５へ戻る。
ステップ４０の詳細は第４図においてステップ４１で第２図の外部情報格納先テーブルを取得し、外部情報格納先の分岐テーブル番号フィールド中から分岐前の分岐テーブル番号を検索し、そのＵＲＬフィールドから対応するＵＲＬを取得する。このときＵＲＬが複数あるときは、ステップ３５で入力した識別子の番号に基づいて複数の中から選択する。つぎにステップ４３でブラウザを起動して、ステップ４４でブラウザにＵＲＬを渡してサブルーチンを終了して第３図のステップ３５に戻る。
第３図のステップ３４のディスク内の画像情報の再生表示の詳細は第５図のステップ３４からステップ５１でディスクのプレイアイテムエリア内からステップ３３で取得したアドレスの画像情報を取得して、ステップ５２で画像の表示更新を行ってサブルーチンを終了して第３図のステップ３５に進む。
この様に、各々の分岐テーブルに対応した外部情報格納先を示す外部情報格納先テーブルを備えることで、ディスク内の情報のみを再生している分岐制御から、各々の分岐テーブル毎に、その分岐テーブルに対応した外部情報格納先テーブルにある外部表示情報格納先を示すアドレス情報、すなわちこの場合はＵＲＬを得ることによって、ディスク内の画像情報に関連付けられたディスク外の情報へ任意に分岐が行える。
また、本実施例では、第２図の外部情報格納先テーブルは分岐テーブルの番号毎に１つのＵＲＬを持つとして説明しているが、更に選択子毎にディスク外の外部情報格納先を示すアドレス情報としてのＵＲＬを複数配置し、外部情報への分岐要求を行った後に分岐用の選択子を選択することによって、分岐テーブルへの分岐ではなく、各ＵＲＬへの分岐を指示することができ、細分化した分岐も可能である。
（実施例２）
第６図は、本実施例による情報記録媒体としてのディスクに記録された外部情報格納先を示すファイルの模式図である。
第６図において、外部情報格納先を示すアドレス情報を各々個別のファイルに細分化した際のファイル構造を模式しており、例えば、ディスク内にＵＲＬ／と称するディレクトリ６０があり、このディレクトリ下にSel_1.datからSel_n.datと名付けたファイルがある事を表している。
第６図中の符号６１は分岐テーブル番号１に対応したファイルSel_1.datのファイル名を持つファイルを示し、また符号６２はファイル名Sel_1.datのファイルの内容を表しており、ファイル毎に１つのＵＲＬが記録されている。分岐テーブルの番号と各ファイルとが対応付けられる様、ファイル名を規定しておく。そうすれば実施例１と同様に、利用者から外部情報への分岐要求があると、要求の有った時点での分岐テーブルの番号から対応するファイルを検索し、その内容からＵＲＬが取得される。
例えば、ｎ個の分岐テーブルがあり、各々固有の１〜ｎの番号を持つ。今、分岐テーブル番号１を再生している時に、利用者から外部情報への分岐要求があった場合、分岐テーブル番号１に対応したファイルであるSel_1.datから、外部情報格納先としての//www.mei.co.jp/avcl.mm7/subl/の文字列が取得されることになる。
この様に、各々の分岐テーブルに対応した外部情報格納先を示すファイルを備えることで、ディスク内の情報のみを再生している分岐制御から、各々の分岐テーブル毎に、その分岐テーブルに対応したファイルにある表示情報格納先を示すアドレス情報、すなわちこの場合はＵＲＬを得ることができる。そしてディスク内の画像情報に関連付けられたディスク外の情報へ任意に分岐が行える。
また、第７図は、実施例２でのファイルの内容を複数にした場合の例であり、第７図に示したようにディスク内に設けられたＵＲＬのディレクトリ７０内の、分岐テーブル番号１に対応したファイル名Sel_1.datのファイル７１内には、符号７２に示すように外部情報格納先のアドレス情報として３つのＵＲＬが格納されている。このように各分岐テーブルの選択子の個数に合わせてＵＲＬを複数記録する事で、外部情報への分岐要求を行った後に分岐用の選択子を選択することによって、分岐テーブルへの分岐ではなく、各ＵＲＬへの分岐を指示することができ、細分化した分岐も可能である。
以上説明した各実施例において、各分岐の数や選択子の数などは一例であり、ある分岐テーブルでは選択子が１の場合も有り得る。分岐の階層等も一例であり、たとえば分岐テーブル番号１の第１の分岐テーブルから下の階層は１階層しかない場合であってもよく、また分岐テーブル毎に選択子の数が異なってもよく、また第１の分岐テーブルから下の階層においては、すべての分岐テーブルから第１の分岐テーブルに戻る選択を設けることができる等の多様な組合せができることは当然である。
また分岐テーブルに対応した媒体内部の表示情報は、実施例で示した選択子だけを持ったものに限らず、選択子以外に動画や音声情報等を伴ってもよいのは当然である。
さらにインターネットにアクセスすることを実例として挙げたが、外部情報としてインターネットへの接続だけでなく、この情報処理装置に接続した周辺機器や他の情報処理装置への接続ができるのは当然であり、また次のような応用も可能となる。すなわち記録媒体に外部機器操作用の情報を記録し、また情報格納先テーブルまたは外部情報格納先を示すファイルに、この情報処理装置に接続されたＡＶ機器等と接続するための情報を記録しておき、外部情報への分岐を指示したときには所定の機器に接続され、その機器と交信して、たとえばその機器の特殊な動作や設定等を記録媒体に記録してあるデータに基づいて行うようにすることもできる。
なお、記録媒体は光学ディスクに限定されず、磁気記録媒体でもよく、また再生専用のものだけでなく記録または追記可能な媒体を用いてもよいものである。
産業上の利用可能性
以上説明したように本発明の情報処理装置、情報処理方法および情報処理方法を記録した情報記録媒体によれば、分岐テーブルの番号に対応した外部情報格納先が記載された外部情報格納先テーブル、またはファイルを有することにより、
内部画像情報を再生中に利用者より外部情報への分岐指示があると、現在使用中の分岐テーブルの番号から、外部情報格納先テーブル、または、外部情報を格納するファイルを検索し、該当する格納先情報に基づき外部情報への分岐処理が行なえ、従来の分岐テーブルの構造や内容を変更する事無く、外部情報への分岐が可能となる。
【図１】
0003725176.tif 000002
【図２】
0003725176.tif 000003
【図３】
0003725176.tif 000004
【図４】
0003725176.tif 000005
【図５】
0003725176.tif 000006
【図６】
0003725176.tif 000007
【図７】
0003725176.tif 000008
0003725176.tif 000009